(57)【特許請求の範囲】
【請求項１】
シート類又はボード類を扱う事業所において、高さが不揃いのシート類又はボード類の山の側面にその山の高さを所定の数に等分する目安線を描く定規であって、
当該事業所で扱う山の最高の高さを（Ｈ）、最低の高さを（Ｌ）、最も大きい分割数を（ｎ）、最も小さい分割数を（ｍ）とし、
簾（ＡＢＣＤ）を畳む方向の一辺（ＡＢ）を基準とする直線（ＡＢ）上にある任意の点を原点（Ｏ）とし、直線（ＡＢ）方向をＸ軸、簾の幅方向をＹ軸とするＸＹ平面座標系において、原点（Ｏ）から放射状に描かれた直線（ｙ＝ｋｘ，ｙ＝２ｋｘ，ｙ＝３ｋｘ，・・・・，ｙ＝ｎｋｘ）のうち、少なくとも直線（ｙ＝ｍｋｘ）と直線（ｙ＝ｎｋｘ）の両直線のそれぞれが簾（ＡＢＣＤ）上で、直線（ｙ＝Ｈ）と直線（ｙ＝Ｌ）の両直線と交差するように、上記直線（ｙ＝ｋｘ，ｙ＝２ｋｘ，ｙ＝３ｋｘ，・・・・，ｙ＝ｎｋｘ）が簾（ＡＢＣＤ）上に描かれていることを特徴とする定規。
【請求項２】
シート類又はボード類を扱う事業所において、高さが不揃いのシート類又はボード類の山の側面にその山の高さを所定の数に等分する目安線を描く方法であって、
請求項１に記載の定規の一辺（ＡＢ）を山の下端に合わせて定規をシートの山の側面に当接し、該定規を折り込み又は開きながら、屈曲部に描かれた所定の数（ｉ）の等分割線（ｙ＝ｉｋｘ）にシートの山の頂上を合わせ、該屈曲部で前記等分割直線の下部に描かれた他の等分割線（ｙ＝ｋｘ，ｙ＝２ｋｘ，ｙ＝３ｋｘ，・・・，ｙ＝（ｉ−１）ｋｘ）の位置に合わせてシートの山の側面に等分割の目安線を描く方法。
【発明の詳細な説明】
【０００１】
【発明の属する技術分野】
本発明は、紙工場等におけるシート類又は比較的厚みの薄い繊維板等のボード類を生産する工場において、一定の寸法に裁断されたシート又はボードの山の側面に、その山の高さを等分割する目安線を描く定規と、その定規を用いて等分割の目安線を描く方法に関する発明である。
【０００２】
【従来の技術】
紙工場等におけるシート類、ボード類（以下、シート類とボード類を総称して単にシートともいう）を生産する工場において、一定の寸法に裁断されたシートは、パレット上に山積みされて、印刷会社等のユーザー又は流通業者に向けて出荷される。例えば、紙の場合、ユーザーである印刷工場では、１ロットの印刷物を必ずしもシートの山単位で印刷する訳ではなく、シートの１山の枚数と関係なく、一定の決められた枚数だけを印刷する。従って、シート１山の枚数又はその整数倍が印刷会社が必要とする印刷物の印刷枚数と一致しない。
【０００３】
このような場合、ユーザー又はシートメーカーとユーザーの間に入る中間流通業者等が、その事業所において、ユーザーで実際に使用する枚数を確保するために、シートの山を崩して小分けする。小分けに手間をかけず迅速に行えるよう、シートを扱う事業所では、シートの山の側面に、その山を小分けする目安線を描いておくことが多い。
【０００４】
【発明が解決しようとする課題】
目安線は、シートの１山をほぼ等分に分ける等分割線が便利である。例えば、１００００枚の山であれば、２０等分割し、約５００枚ごとに等分割する線を山の側面に描いておく。
ところが、１山をどのように等分割するかは、紙の種類ごとに、また出荷先のユーザーごとに異なるうえ、シートの山の高さも揃っていないので、シートメーカーでは、多数の等分割方法に対応しなければならない。
【０００５】
従来、この作業には、様々な定規が用いられている。例えば、直定規に等分割線を描いたものをシートの山の側面に当接し、等分割線に合わせてシートの山に目安線を描く方法がある。しかしながら、シートの山の高さが必ずしも一定でないため、シートの山の高さに適合する定規を何本も用意しなければならない。また、どの定規がシートの山に適合するか、定規をシートの山に当ててみなければわからない場合が多く、手間がかかり、作業能率が上がらない。
等分割線を自動機械により描くことも技術的には可能であるが、設備費用が高くなる。本発明は、安価な治具により、上記問題点を解決しようとするものである。
【０００６】
【課題を解決するための手段】
本発明を図面に基づいて説明する。図２は、本発明の等分割線を描く定規（以下、単に定規とも言う）であり、簾ＡＢＣＤの斜め方向に多数の直線を描いたものである。以下、説明上の都合により、簾を畳む方向を簾の長さ方向とも言い、簾を畳む方向に直交する方向を簾の幅方向又は高さ方向とも言うことにする。簾の幅、即ち簾の高さは、当該シート類又はボード類を扱う事業所で最も高いシートの山の高さよりも高いものを用意しておく。
【０００７】
簾の斜め方向に描かれた直線は、シートの山の等分割線である。これら等分割線を描くには、ＸＹ平面座標を用いると便利である。先ず、簾の長さ方向の左右いずれか一方の一辺ＡＢ（以下、この一辺を基準辺ともいう）をＸ軸に合わせて置く。
そして、基準辺ＡＢを基準とし、当該事業所で扱う山の最高の高さＨ、最低の高さＬに相当するＸ軸に平行な直線ｙ＝Ｈ及びｙ＝Ｌを簾上に描く。この平行線は以下に説明するように、等分割線を描く過程で利用するものであり、本発明の実施に必要不可欠なものではない。
【０００８】
次に、原点Ｏから放射状に直線ｙ＝ｋｘ，ｙ＝２ｋｘ，ｙ＝３ｋｘ，・・・・ｙ＝ｍｋｘ，・・・・，ｙ＝ｎｋｘを描く。ｎは当該事業所で扱う山の最も大きい分割数であり、ｍは最も小さい分割数である。ｋは適当な値でよい。但し、ｋの値を選択するにあたっては、まず、ｋに適当な値を与えて、ｙ＝ｍｋｘとｙ＝ｎｋｘを描いてみる。この両直線ｙ＝ｍｋｘとｙ＝ｎｋｘのそれぞれが、先に描いたＸ軸に平行な直線ｙ＝Ｈ及びｙ＝Ｌの両方と交差するようにｋの値を調整する。
直線ｙ＝ｍｋｘとｙ＝ｎｋｘの両直線が、それぞれ直線ｙ＝Ｈ及びｙ＝Ｌの両直線と簾上で交差することを確認後、ｙ＝ｋｘ，ｙ＝２ｋｘ，ｙ＝３ｋｘ，・・・・，ｙ＝ｎｋｘを簾上に描く。
【０００９】
上記定規の用いるには、先ず、図１に示すように、上述の方法により作成した定規Ｋをパレットに積まれたシートの山Ｓの側面に当接させる。定規は、基準辺を下にして、パレットのマージン部分に垂直に立てられているので、基準辺はシートの山の底面のレベルと一致している。定規には、先に述べた等分割線が放射状に描かれおり、各等分割線の左端には、下方から順番に１〜ｎまでの番号が付してある。この番号は、シートの山を等分割しようとする分割数を示す。定規をシートの山の側面に当接したら、続いて、所定の分割数に該当する等分割線を選択し、定規を折り込み又は開きながら、屈曲部に描かれた前記選択した等分割線とシートの山の頂点の位置とを合わせる。そして、屈曲部に描かれた他の等分割線の位置に合わせて、山の側面に目安線を描く。
【００１０】
次に、本発明の定規１本により、当該事業所で扱うすべてのシート類又はボード類の山の側面にその高さを等分割する目安線を描くことのできる原理を述べる。図２においては、シートの山を等分割しようとする分割数の最大値ｎが１６，最小値ｍが８の場合である。つまり、当該事業所で扱う様々な高さの山を８〜１６等分するために用いる定規である。当該事業所で扱う最も低い山の高さＬを８等分するときは、前述のように、図２において１の番号を付したＹ軸に平行な直線の部分で簾を折り込み、直線１とｙ＝ｋｘ，ｙ＝２ｋｘ，ｙ＝３ｋｘ，・・・，ｙ＝７ｋｘとの交点の位置に合わせて、の山の側面に等分割の目安線を描く。同様に、図上、２の番号を付したＹ軸に平行な直線の部分で簾を折り込み、直線２とｙ＝ｋｘ，ｙ＝２ｋｘ，ｙ＝３ｋｘ，・・・，ｙ＝１５ｋｘとの交点の位置に合わせて、山の側面に等分割の目安線を描けば、上記山の高さＬをほぼ１６等分する目安線を描くことができる。そして、この定規を用いて、同様の手順を経れば、この高さＬの山を９〜１５等分する目安線も描くことができる。
【００１１】
同様に、図上、３と４の番号を付したＹ軸に平行な直線を用いれば、当該事業所で扱う最も高い山の高さＨを、それぞれ８及び１６等分する目安線を描くことができ、さらに、その山の高さＨを９〜１５等分する目安線も描くことができる。さらにまた、高さＨとＬとの中間の高さのすべての山を、それぞれ８〜１６等分する目安線を容易に描くことができることも図２から理解できる。
【００１２】
【発明の実施の形態】
簾の基材は、籐や円筒状プラスチックを編み上げたもの等、簾の長さ方向に剛性があり、細くてできるだけ軽いものが良い。
図１では、定規の左端に、各等分割線について、等分割する数の番号を付してあるが、左端だけでなく、定規の要所にも等分割する数の番号番号を付したり、５の倍数の等分割線を赤線とし、他の等分割線を黒色としておく等により、どの位置においてもそれぞれの分割線の分割数が直ちにわかるようにしておくと便利である。
【００１３】
なお、ＸＹ座標系の原点Ｏは簾の基準辺ＡＢ上に設定してもよいが、その場合、図２から分かるように、簾がＡ’ＢＣＤ’となり、定規が必要以上に大きくなり使い勝手がよくない。本発明の定規は、図２における簾内に、少なくともｙ＝ｎｋｘとｙ＝Ｌ及びｙ＝Ｈとの交点、並びにｙ＝ｍｋｘとｙ＝Ｌ及びｙ＝Ｈとの交点、合計４つの交点が存在すればそれで十分なので、ＸＹ座標系の原点Ｏは簾の基準辺ＡＢの延長線上に設定した方が、定規が小さくて済み、合理的である。
【００１４】
【発明の効果】
本発明による定規は、安価なうえに軽く、持ち運びに便利である。また、１本の定規でもって、すべてのシートの山の高さを等分する目安線を入れることができる。
【図面の簡単な説明】
【図１】  本発明による定規の用い方の説明図
【図２】  本発明による定規の作成方法の説明図
【符号の説明】
Ｓ            シートの山
Ｋ            定規
Ｐ            パレット
Ｅ            等分割線
【図１】
0004300611.tif 000002
【図２】
0004300611.tif 000003